(57)【要約】      （修正有）【課題】充電時間を短縮し、余分な充電を回避する。【解決手段】充電池の充電状況を判定し、判定した充電状況に応じて、充電池に対する充電方法として用いる受電部を複数の受電部から選択して、その選択した受電部を用いて、充電池への充電を制御する。複数の送電部を備える一次側装置と、該複数の送電部に対応する複数の受電部と充電池を備える二次側装置からなる充電システムであって、前記充電池の充電状況を判定する判定手段と、前記判定手段で判定した充電状況に基づいて、前記充電池に用いる受電部を前記複数の受電部から選択して、その選択した受電部を用いて、前記充電池への充電を制御する制御手段とを備える。【選択図】図７
2014011918.tif 000002
【特許請求の範囲】
【請求項１】
複数の送電部を備える一次側装置と、該複数の送電部に対応する複数の受電部と充電池を備える二次側装置からなる充電システムであって、
前記充電池の充電状況を判定する判定手段と、
前記判定手段で判定した充電状況に基づいて、前記充電池に用いる受電部を前記複数の受電部から選択して、その選択した受電部を用いて、前記充電池への充電を制御する制御手段と
を備えることを特徴とする充電システム。
【請求項２】
前記充電池に対する現在の充電方法を確認する確認手段を更に備え、
前記制御手段は、前記確認手段で確認した充電方法と前記判定手段で判定した充電状況に応じて、前記充電池に対する充電方法として用いる受電部を前記複数の受電部から選択して、その選択した受電部を用いて、前記充電池への充電を制御する
ことを特徴とする請求項１に記載の充電システム。
【請求項３】
前記一次側装置と前記二次側装置の間で情報を送受信する通信手段を更に備える
ことを特徴とする請求項１または２に記載の充電システム。
【請求項４】
前記判定手段と前記制御手段は、前記一次側装置が備える
ことを特徴とする請求項１乃至３のいずれか１項に記載の充電システム。
【請求項５】
前記判定手段と前記制御手段は、前記二次側装置が備える
ことを特徴とする請求項１乃至３のいずれか１項に記載の充電システム。
【請求項６】
複数の送電部を備える一次側装置と、該複数の送電部に対応する複数の受電部と充電池を備える二次側装置からなる充電システムにおける、前記一次側装置となる電子機器であって、
前記充電池に対する現在の充電方法を確認する確認手段と、
前記充電池の充電状況を判定する判定手段と、
前記確認手段で確認した充電方法と前記判定手段で判定した充電状況に応じて、前記充電池に対する充電方法として用いる受電部を前記複数の受電部から選択して、その選択した受電部を用いて、前記充電池への充電を制御する制御手段と
を備えることを特徴とする電子機器。
【請求項７】
前記判定手段は、前記二次側装置から前記充電池の残量情報を受信することで、該充電池の充電状況を判定する
ことを特徴とする請求項６に記載の電子機器。
【請求項８】
複数の送電部を備える一次側装置と、該複数の送電部に対応する複数の受電部と充電池を備える二次側装置からなる充電システムにおける、前記二次側装置となる電子機器であって、
前記充電池に対する現在の充電方法を確認する確認手段と、
前記充電池の充電状況を判定する判定手段と、
前記確認手段で確認した充電方法と前記判定手段で判定した充電状況に応じて、前記充電池に対する充電方法として用いる受電部を前記複数の受電部から選択して、その選択した受電部を用いて、前記充電池への充電を制御する制御手段と
を備えることを特徴とする電子機器。
【請求項９】
（１）前記確認手段の確認の結果、前記現在の充電方法として、前記複数の受電部を選択して充電を行っている状態において、
前記判定手段の判定の結果、前記充電池の残量が第１の閾値以上である場合、前記制御手段は、前記複数の受電部から１つの受電部を選択して充電を行い、前記充電池の残量が前記第１の閾値以上でない場合、前記複数の受電部の選択を継続して充電を行う、
（２）前記確認手段の確認の結果、前記現在の充電方法として、前記複数の受電部の内の１つの受電部を選択して充電を行っている状態において、
前記判定手段の判定の結果、前記充電池の残量が第２の閾値以上である場合、前記制御手段は、前記１つの受電部の選択を継続して充電を行い、前記充電池の残量が前記第２の閾値以上でない場合、前記複数の受電部を選択して充電を行う
ことを特徴とする請求項６乃至８のいずれか１項に記載の電子機器。
【請求項１０】
前記確認手段の確認の結果、前記現在の充電方法として、前記複数の受電部の内の１つの受電部を選択して充電を行っている状態において、前記充電池の残量が前記第２の閾値以上でない場合、前記複数の受電部を選択して充電を行うための案内を示す情報を出力する出力手段を更に備える
ことを特徴とする請求項９に記載の電子機器。
【請求項１１】
前記複数の受電部のそれぞれの受電電流量が異なる場合であって、前記確認手段の確認の結果、前記現在の充電方法として、前記複数の受電部の内、受電電流が小さい受電部を選択して充電を行っている状態において、
前記判定手段の判定の結果、前記充電池の残量が閾値以上である場合、前記制御手段は、前記受電電流が小さい受電部の選択を継続して充電を行い、前記充電池の残量が前記閾値以上でない場合、前記受電電流が小さい受電部に加えて前記受電電流が大きい受電部を選択して充電を行う
ことを特徴とする請求項６乃至８のいずれか１項に記載の電子機器。
【請求項１２】
前記充電池の残量が前記閾値以上でない場合、前記受電電流が小さい受電部に加えて前記受電電流が大きい受電部を選択して充電を行うか、前記受電電流が小さい受電部から前記受電電流が大きい受電部を切り替えて充電を行うか、前記受電電流が小さい受電部による充電を継続するかを確認するための案内を示す情報を出力する出力手段を更に備える
ことを特徴とする請求項１１に記載の電子機器。
【請求項１３】
前記複数の受電部の内、１つは有線受電部であり、別の１つは無線受電部である
ことを特徴とする請求項６乃至１２のいずれか１つに記載の電子機器。
【請求項１４】
複数の送電部を備える一次側装置と、該複数の送電部に対応する複数の受電部と充電池を備える二次側装置からなる充電システムにおける、前記一次側装置となる電子機器の制御方法であって、
前記充電池に対する現在の充電方法を確認する確認工程と、
前記充電池の充電状況を判定する判定工程と、
前記確認工程で確認した充電方法と前記判定工程で判定した充電状況に応じて、前記充電池に対する充電方法として用いる受電部を前記複数の受電部から選択して、その選択した受電部を用いて、前記充電池への充電を制御する制御工程と
を備えることを特徴とする電子機器の制御方法。
【請求項１５】
複数の送電部を備える一次側装置と、該複数の送電部に対応する複数の受電部と充電池を備える二次側装置からなる充電システムにおける、前記二次側装置となる電子機器の制御方法であって、
前記充電池に対する現在の充電方法を確認する確認工程と、
前記充電池の充電状況を判定する判定工程と、
前記確認工程で確認した充電方法と前記判定工程で判定した充電状況に応じて、前記充電池に対する充電方法として用いる受電部を前記複数の受電部から選択して、その選択した受電部を用いて、前記充電池への充電を制御する制御工程と
を備えることを特徴とする電子機器の制御方法。
【請求項１６】
複数の送電部を備える一次側装置と、該複数の送電部に対応する複数の受電部と充電池を備える二次側装置からなる充電システムにおける、前記一次側装置となる電子機器の制御をコンピュータに機能させるためのプログラムであって、
前記コンピュータを、
前記充電池に対する現在の充電方法を確認する確認手段と、
前記充電池の充電状況を判定する判定手段と、
前記確認手段で確認した充電方法と前記判定手段で判定した充電状況に応じて、前記充電池に対する充電方法として用いる受電部を前記複数の受電部から選択して、その選択した受電部を用いて、前記充電池への充電を制御する制御手段と
して機能させることを特徴とするプログラム。
【請求項１７】
複数の送電部を備える一次側装置と、該複数の送電部に対応する複数の受電部と充電池を備える二次側装置からなる充電システムにおける、前記二次側装置となる電子機器の制御をコンピュータに機能させるためのプログラムであって、
前記コンピュータを、
前記充電池に対する現在の充電方法を確認する確認手段と、
前記充電池の充電状況を判定する判定手段と、
前記確認手段で確認した充電方法と前記判定手段で判定した充電状況に応じて、前記充電池に対する充電方法として用いる受電部を前記複数の受電部から選択して、その選択した受電部を用いて、前記充電池への充電を制御する制御手段と
して機能させることを特徴とするプログラム。
【発明の詳細な説明】
【技術分野】
【０００１】
本発明は、充電システムに関し、より詳しくは、複数の充電部を備える充電システムに関する。
【背景技術】
【０００２】
近年、携帯電話のような、充電池を用いた装置が広く使われるようになってきている。充電池を充電するシステムは、充電池に対して電力を送る一次側及び電力を受ける二次側から構成される。
【０００３】
このような充電システムにおいて、二次側の充電池に対して流すことのできる充電電流は、充電初期では大きい値をとるが、時間の経過に伴い減少することが知られている（特許文献１）。
【０００４】
一方、給電電流に上限がある充電システムが知られている（特許文献２）。
【０００５】
また、複数の給電ケーブルを用いて、１つの二次側装置に給電する技術が知られている（特許文献３）。
【先行技術文献】
【特許文献】
【０００６】
【特許文献１】特開２００８−２２０１６７号公報（図８）
【特許文献２】特開２００５−０１２８８９号公報
【特許文献３】特開２０１０−２３９７１４号公報
【発明の概要】
【発明が解決しようとする課題】
【０００７】
１つの充電システムで定められた供給電流の上限よりも、大きい電流を流すことができる充電池を充電する場合を考える。この場合、充電システムの制約によって、充電池に流すことのできる電流よりも小さい電流しか流すことができないため、充電時間が掛かってしまう。
【０００８】
また、複数の充電システムを用いて充電する場合、従来技術では、充電電流が小さくなっても複数充電を続けるため、余分な充電を行う場合がある。
【０００９】
本発明は上記の課題を解決するためになされたものであり、充電時間を短縮し、余分な充電を回避することを目的とする。
【課題を解決するための手段】
【００１０】
上記の目的を達成するための本発明による電子機器は以下の構成を備える。即ち、
複数の送電部を備える一次側装置と、複数の受電部と充電池を備える二次側装置からなる充電システムにおける、前記二次側装置となる電子機器であって、
前記充電池に対する現在の充電方法を確認する確認手段と、
前記充電池の充電状況を判定する判定手段と、
前記確認手段で確認した充電方法と前記判定手段で判定した充電状況に応じて、前記充電池に対する充電方法として用いる受電部を前記複数の受電部から選択して、その選択した受電部を用いて、前記充電池への充電を制御する制御手段と
を備える。
【発明の効果】
【００１１】
本発明によれば、充電時間を短縮し、余分な充電を回避することが可能となる。
【図面の簡単な説明】
【００１２】
【図１】本発明の実施形態１に係る充電システムの構成図である。
【図２】本発明の実施形態１に係る一次側装置の構成図である。
【図３】本発明の実施形態１に係る二次側装置の構成図である。
【図４】本発明の実施形態１に係る有線充電時の構成図である。
【図５】本発明の実施形態１に係る無線充電時の構成図である。
【図６】本発明の実施形態１に係る有線充電と無線充電との同時充電時の構成図である。
【図７】本発明の実施形態１に係る二次側制御部の充電に関する処理を説明するフローチャートである。
【図８】本発明の実施形態１に係る複数受電時の構成図である。
【図９】本発明の実施形態２に係る二次側制御部の充電に関する処理を説明するフローチャートである。
【図１０】本発明の実施形態４に係る一次側装置の構成図である。
【図１１】本発明の実施形態４に係るニ次側装置の構成図である。
【図１２】本発明の実施形態４に係る一次側制御部の充電に関する処理を説明するフローチャートである。
【図１３】本発明の実施形態５に係る一次側制御部の充電に関する処理を説明するフローチャートである。
【発明を実施するための形態】
【００１３】
以下、本発明の実施の形態について図面を用いて詳細に説明する。
【００１４】
＜実施形態１＞
本発明の実施形態１に係る充電システムの構成を、図１を参照して説明する。
【００１５】
図１において、１は、無線及び有線の少なくとも一方で電力を送る一次側装置（送電装置）である。２は、無線及び有線の少なくとも一方で電力を受ける二次側装置（受電装置）である。一次側装置１は、二次側装置２との無線充電を実現するための平板状の充電台を有している。二次側装置２は、例えば、充電池を内蔵する携帯電話等の電子機器である。また、一次側装置１は、送電電力に上限がある複数の送電部を有し、二次側装置２は、受電電力に上限が複数の受電部を有する。
【００１６】
一次側装置１の充電に関する構成は図２の通りである。図２において、１０１は、交流電源のコンセントに接続するための電源プラグである。１０２は、電源プラグ１０１からきた電気を整流するための電源整流部である。１０３は、電源整流部１０２で整流された電気を無線で送るための無線送電部である。１０４は、無線送電部１０３用の一次側コイルである。１０５は、電源整流部１０２で整流された電気を有線で送るための有線送電部である。１０６は、有線送電部１０５用の給電コネクタである。１０７は、無線送電部１０３及び有線送電部１０５を制御するための一次側制御部である。
【００１７】
二次側装置２の充電に関する構成は図３の通りである。図３において、２０１は、一次側コイル１０４から送られた電気を受けるための二次側コイルである。２０２は、二次側コイル２０１からきた電気を受け取るための無線受電部である。２０３は、給電コネクタ１０６から送られた電気を受け取るための受電コネクタである。２０４は、受電コネクタ２０３からきた電気を受け取るための有線受電部である。２０５は、充電池である。２０６は、無線受電部２０２及び有線受電部２０４で受けた電気を充電池２０５に供給するための充電処理部である。２０７は、情報を表示するための表示部である。２０８は、無線受電部２０２、有線受電部２０４、及び表示部２０７を制御するための二次側制御部である。二次側制御部２０８は、各種制御に加えて、後述するように、充電池２０５の残量確認や、その残量に応じて、有線充電と無線充電とを適応的に切り替える制御を行う。
【００１８】
図２の一次側装置１と図３の二次側装置２において、給電コネクタ１０６と受電コネクタ２０３とを充電用ケーブル３で接続することで有線充電が可能となる（図４）。また、一次側装置１と二次側装置２とを所定範囲内に近接させることで無線充電が可能となる（図５）。さらに、給電コネクタ１０６と受電コネクタ２０３とを充電用ケーブル３で接続し、かつ、一次側装置１と二次側装置２とを近接させることで、有線充電と無線充電との同時充電が可能となる（図６）。
【００１９】
尚、実施形態１における無線充電方式は、２つの隣接するコイルの片方に電流を流すと発生する磁束を媒介して隣接したもう片方に起電力が発生する電磁誘導を用いる「電磁誘導方式」を示しているが、これに限定されない。例えば、電流を電磁波に変換しアンテナを介して送受信する技術である「電波方式」や、電磁界の共鳴現象を利用した「電磁界共鳴方式」等の他の無線充電方式を用いることも可能である。
【００２０】
また、図２の一次側制御部１０７及び図３の二次側制御部２０８には、一般的な汎用コンピュータに搭載される標準的な構成要素（例えば、ＣＰＵ、ＲＡＭ、ＲＯＭ等）を有している。そして、図２の一次側制御部１０７及び図３の二次側制御部２０８はそれぞれ、ＲＯＭに記憶される制御プログラムを用いて、対応する装置内の各種構成要素の動作を制御することも可能である。
【００２１】
この充電システムにおいて、充電に関する二次側制御部２０８の動作を、図７を用いて説明する。
【００２２】
まず、ステップＳ７０１で、充電方法として、有線充電と無線充電との同時充電中かどうかを確認する。確認の結果、同時充電中である場合（ステップＳ７０１でＹＥＳ）、ステップＳ７０２へ移り、充電池２０５の残量が第１の閾値（例えば、８０％）以上かどうかを確認する。確認の結果、第１の閾値以上でない場合（ステップＳ７０２でＮＯ）、充電池２０５の残量が比較的少ないと判定し、同時充電の効果があるため、ステップＳ７０３に移り、同時充電を継続する。
【００２３】
一方、第１の閾値以上である場合（ステップＳ７０２でＹＥＳ）、充電池２０５が満充電に近いと判定し、同時充電の効果が低いため、ステップＳ７０４に移り、無線充電を停止し、有線充電のみを継続する。これにより、図８のように、別の二次側装置４に対して無線充電することが可能となり、効率的に充電することが可能となる。その場合、表示部２０７に、無線充電を停止し、有線充電を継続すること、他の二次側装置４の無線充電が可能であることを示す情報を表示することで、他の二次側装置４の無線充電を行うことを案内にするようにしても良い。
【００２４】
ステップＳ７０１において、同時充電中でない場合（ステップＳ７０１でＮＯ）、ステップＳ７０５へ移り、充電池２０５の残量が第１の閾値より低い第２の閾値（例えば、７０％）以上かどうかを確認する。確認の結果、第２の閾値以上である場合（ステップＳ７０５でＹＥＳ）、充電池２０５が満充電に比較的近いと判定し、比較的同時充電の効果が低いため、ステップＳ７０６に移り、現在の充電方法のみで充電を継続する。
【００２５】
一方、第２の閾値以上でない場合（ステップＳ７０５でＮＯ）、充電池２０５の残量が少ないと判定し、同時充電の効果があるため、同時充電のための準備として、ステップＳ７０７において、現在の充電方法が有線充電かどうかを確認する。
【００２６】
確認の結果、有線充電でない場合（ステップＳ７０７でＮＯ）、現在、無線充電のみで充電していることになる。この場合は、有線充電を追加するために、ステップＳ７０８に移り、有線充電を行うための操作を案内する情報を出力する。例えば、表示部２０７に、「充電時間短縮を希望する場合は有線充電ケーブルをつないで下さい。」という表示をする。ここで、有線充電ケーブルとは、充電用ケーブル３に対応する。
【００２７】
一方、有線充電である場合（ステップＳ７０７でＹＥＳ）、現在、有線充電のみで充電していることになる。この場合、無線充電を追加するために、ステップＳ７０９へ移り、今の状態で無線充電が可能かどうかを確認する。確認の結果、無線充電が可能である場合（ステップＳ７０９でＹＥＳ）、ステップＳ７１０に移り、自動的に無線充電を開始する。
【００２８】
一方、無線充電が可能でない場合（ステップＳ７０９でＮＯ）、一次側装置１と二次側装置２とを近接させる必要があるため、ステップＳ７１１に移り、無線充電を行うための操作を案内する情報を出力する。例えば、表示部２０７に「充電時間短縮を希望する場合は充電台の上に置いて下さい。」という表示をする。ここで、充電台とは一次側装置１に対応する。
【００２９】
これによって、できるだけ自動的に、短時間で充電できるようになり、かつ、同時充電が不要な場合は、別の二次側装置を充電することが可能となるので、効率的な充電が可能となる。
【００３０】
以上説明したように、実施形態１によれば、充電状況（二次側装置２の充電池の残量と現在の充電方法）に応じて、有線充電と無線受電の充電方法を適応的に選択して切り替えることで、充電時間を短縮するとともに、余分な充電を回避することができる。
＜実施形態２＞
本発明の実施形態２に係る充電システム及び一次側装置、二次側装置の構成は、実施形態１における図１、図２、図３と同じである。また、実施形態２では、有線充電で流すことのできる電流量（送電電流量／受電電流量）が、例えば、５００ｍＡ、無線充電で流すことのできる電流量（送電電流量／受電電流量）が、例えば、１０００ｍＡと想定する。
【００３１】
この充電システムにおいて、充電に関する二次側制御部２０８の動作を、図９を用いて説明する。
【００３２】
利用者が、給電コネクタ１０６と受電コネクタ２０３とを充電用ケーブル３で接続するか、または一次側装置１と二次側装置２とを近接させることで有線充電または無線充電を開始する。この状態で、最初に、ステップＳ９０１で、現在の充電方法が有線充電かどうかを確認する。
【００３３】
確認の結果、有線充電である場合（ステップＳ９０１でＹＥＳ）、現在、有線充電のみで充電していることになる。この場合、ステップＳ９０２において、充電池２０５の残量が第２の閾値（例えば、７０％）以上かどうかを確認する。確認の結果、第２の閾値以上である場合（ステップＳ９０２でＹＥＳ）、充電池２０５が満充電に近いと判定し、同時充電の効果が低いため、ステップＳ９０３に移り、現在の有線充電のみで充電を継続する。
【００３４】
一方、第２の閾値以上でない場合（ステップＳ９０２でＮＯ）、充電池２０５の残量が少ないと判定し、同時充電の効果があるため、同時充電のための準備として、ステップＳ９０４において、今の状態で無線充電が可能かどうかを確認する。確認の結果、無線充電が可能である場合（ステップＳ９０４でＹＥＳ）、ステップ９０５に移り、自動的に無線充電を開始する。
【００３５】
一方、無線充電が可能でない場合（ステップＳ９０５でＮＯ）、充電時間を短縮するためには、より大きな電流を流すために、有線充電及び無線充電の同時充電をするか、有線充電より供給可能電流が大きい無線充電に切り替える必要がある。このために、ステップＳ９０６に移り、流すことのできる電流の大きい順に、推奨する操作を案内する情報を出力する。ここでは、例えば、表示部２０７に、「充電時間短縮のための推奨操作、（１）同時充電、（２）無線充電のみ、（３）有線充電のみ」の表示をする。
【００３６】
ステップＳ９０１において、有線充電でない場合（ステップＳ９０１でＮＯ）、現在、無線充電のみで充電していることになる。そして、ステップＳ９０７において、充電池２０５の残量が第２の閾値より低い第３の閾値（例えば、６０％）以上かどうかを確認する。確認の結果、第３の閾値以上である場合（ステップＳ９０７でＹＥＳ）、充電池２０５が比較的満充電に近いと判定し、同時充電の効果が比較的低いため、ステップＳ９０８に移り、現在の無線充電のみで充電を継続する。
【００３７】
一方、第３の閾値以上でない場合（ステップＳ９０７でＮＯ）、充電時間を短縮するためには、同時充電する必要があるため、ステップＳ９０９に移り、有線充電を行うための操作を案内する情報を出力する。例えば、表示部２０７に「充電時間短縮を希望する場合は有線充電ケーブルをつないで下さい。」という表示をする。
【００３８】
これによって、できるだけ自動的に、短時間で充電できるようになり、かつ、同時充電が不要な場合は、別の二次側装置を充電することが可能となるので、効率的な充電が可能となる。
【００３９】
以上説明したように、実施形態２によれば、実施形態１で説明した効果に加えて、充電状況に応じて、最適な充電方法を案内することで、より効率的な充電を行うことが可能となる。
【００４０】
＜実施形態３＞
実施形態２では、有線充電で流すことのできる電流量（送電電流量／受電電流量）が、無線充電で流すことのできる電流量（送電電流量／受電電流量）よりも小さい場合を例に挙げて説明しているが、これに限定されない。有線充電で流すことのできる電流量（送電電流量／受電電流量）が、無線充電で流すことのできる電流量（送電電流量／受電電流量）よりも大きい場合においても、実施形態２の構成を適用できることは言うまでもない。その場合、ステップＳ９０６では、表示部２０７に、「充電時間短縮のための推奨操作、（１）同時充電、（２）有線充電のみ、（３）無線充電のみ」の表示をする。
【００４１】
また、実施形態１及び２では、充電方法（有線充電／無線充電）を切り替えるための案内を示す情報の出力は、表示部２０７に表示する構成としていているが、これに限定されない。二次側装置２が音声出力部を備えている場合には、その情報を音声案内で出力するようにしてももちろん構わないし、音声と表示を併用しても良い。
【００４２】
更に、実施形態１及び２の処理で用いる第１の閾値〜第３の閾値は、一例であって、用途や目的に応じて、その値は同一であったり、大小の関係が逆転していても良い。
【００４３】
＜実施形態４＞
本発明の実施形態４に係る充電システムの構成は、実施形態１における図１と同じである。
【００４４】
一次側装置１の充電に関する構成は図１０の通りである。図１０において、１０１〜１０７は、図２の１０１〜１０７と同じである。１００８は、他の装置（例えば、二次側装置２）と通信するための一次側通信部である。
【００４５】
二次側装置２の充電に関する構成は図１１の通りである。図１１において、２０１〜２０８は、図３の２０１〜２０８と同じである。２００９は、他の装置（例えば、一次側装置１）と通信するための二次側通信部である。
【００４６】
これにより、一次側装置１と二次側装置２との間で、互いに自身の通信部を利用して情報を送受信することができる。例えば、一次側装置１が二次側装置２の充電池２０５の残量情報を取得したり、一次側装置１の情報を二次側装置２の表示部２０７に表示させたりすることが可能となる。
【００４７】
図１０の一次側装置１と図１１の二次側装置２において、給電コネクタ１０６と受電コネクタ２０３とを充電用ケーブル３で接続することで有線充電が可能となる（図４）。また、一次側装置１と二次側装置２とを所定範囲内に近接させることで無線充電が可能となる（図５）。さらに、給電コネクタ１０６と受電コネクタ２０３とを充電用ケーブル３で接続し、かつ、一次側装置１と二次側装置２とを近接させることで、有線充電と無線充電との同時充電が可能となる（図６）。
【００４８】
尚、実施形態４における無線充電方式は、２つの隣接するコイルの片方に電流を流すと発生する磁束を媒介して隣接したもう片方に起電力が発生する電磁誘導を用いる「電磁誘導方式」を示しているが、これに限定されない。例えば、電流を電磁波に変換しアンテナを介して送受信する技術である「電波方式」や、電磁界の共鳴現象を利用した「電磁界共鳴方式」等の他の無線充電方式を用いることも可能である。
【００４９】
また、図１０の一次側制御部１０７及び図１１の二次側制御部２０８には、一般的な汎用コンピュータに搭載される標準的な構成要素（例えば、ＣＰＵ、ＲＡＭ、ＲＯＭ等）を有している。そして、図１０の一次側制御部１０７及び図１１の二次側制御部２０８はそれぞれ、ＲＯＭに記憶される制御プログラムを用いて、対応する装置内の各種構成要素の動作を制御することも可能である。
【００５０】
この充電システムにおいて、充電に関する一次側制御部１０７の動作を、図１２を用いて説明する。
【００５１】
最初に、ステップＳ１２００で、充電池２０５の残量情報を取得できるかを確認する。確認の結果、残量情報を取得できない場合（ステップＳ１２００でＮＯ）、取得できるまで待機する。一方、残量情報を取得できた場合（ステップＳ１２００でＹＥＳ）、ステップＳ１２０１に進む。
【００５２】
次にステップＳ１２０１で、充電方法として、有線充電と無線充電との同時充電中かどうかを確認する。確認の結果、同時充電中である場合（ステップＳ１２０１でＹＥＳ）、ステップＳ１２０２へ移り、残量情報が示す充電池２０５の残量が第１の閾値（例えば、８０％）以上かどうかを確認する。確認の結果、第１の閾値以上でない場合（ステップＳ１２０２でＮＯ）、充電池２０５の残量が比較的少ないと判定し、同時充電の効果があるため、ステップＳ１２０３に移り、同時充電を継続する。
【００５３】
一方、第１の閾値以上である場合（ステップＳ１２０２でＹＥＳ）、充電池２０５が満充電に近いと判定し、同時充電の効果が低いため、ステップＳ１２０４に移り、無線充電を停止し、有線充電のみを継続する。これにより、図８のように、別の二次側装置４に対して無線充電することが可能となり、効率的に充電することが可能となる。その場合、表示部２０７に、無線充電を停止し、有線充電を継続すること、他の二次側装置４の無線充電が可能であることを示す情報を表示させることで、他の二次側装置４の無線充電を行うことを案内にするようにしても良い。尚、この情報を表示させることは、その表示をさせるための情報を一時側装置１から二次側装置２へ送信することで実現する。
【００５４】
ステップＳ１２０１において、同時充電中でない場合（ステップＳ１２０１でＮＯ）、ステップＳ１２０５へ移り、充電池２０５の残量が第１の閾値より低い第２の閾値（例えば、７０％）以上かどうかを確認する。確認の結果、第２の閾値以上である場合（ステップＳ１２０５でＹＥＳ）、充電池２０５が満充電に比較的近いと判定し、比較的同時充電の効果が低いため、ステップＳ１２０６に移り、現在の充電方法のみで充電を継続する。
【００５５】
一方、第２の閾値以上でない場合（ステップＳ１２０５でＮＯ）、充電池２０５の残量が少ないと判定し、同時充電の効果があるため、同時充電のための準備として、ステップＳ１２０７において、現在の充電方法が有線充電かどうかを確認する。
【００５６】
確認の結果、有線充電でない場合（ステップＳ１２０７でＮＯ）、現在、無線充電のみで充電していることになる。この場合は、有線充電を追加するために、ステップＳ１２０８に移り、有線充電を行うための操作を案内する情報を出力する。例えば、表示部２０７に、「充電時間短縮を希望する場合は有線充電ケーブルをつないで下さい。」という表示をさせる。ここで、有線充電ケーブルとは、充電用ケーブル３に対応する。
【００５７】
一方、有線充電である場合（ステップＳ１２０７でＹＥＳ）、現在、有線充電のみで充電していることになる。この場合、無線充電を追加するために、ステップＳ１２０９へ移り、今の状態で無線充電が可能かどうかを確認する。確認の結果、無線充電が可能である場合（ステップＳ１２０９でＹＥＳ）、ステップＳ１２１０に移り、自動的に無線充電を開始する。
【００５８】
一方、無線充電が可能でない場合（ステップＳ１２０９でＮＯ）、一次側装置１と二次側装置２とを近接させる必要があるため、ステップＳ１２１１に移り、無線充電を行うための操作を案内する情報を出力する。例えば、表示部２０７に「充電時間短縮を希望する場合は充電台の上に置いて下さい。」という表示をさせる。ここで、充電台とは一次側装置１に対応する。
【００５９】
これによって、できるだけ自動的に、短時間で充電できるようになり、かつ、同時充電が不要な場合は、別の二次側装置を充電することが可能となるので、効率的な充電が可能となる。
【００６０】
以上説明したように、実施形態４によれば、充電状況（二次側装置２の充電池の残量と現在の充電方法）に応じて、有線充電と無線受電の充電方法を適応的に選択して切り替えることで、充電時間を短縮するとともに、余分な充電を回避することができる。
＜実施形態５＞
本発明の実施形態５に係る充電システム及び一次側装置、二次側装置の構成は、実施形態４における図１、図１０、図１１と同じである。また、実施形態５では、有線充電で流すことのできる電流量（送電電流量／受電電流量）が、例えば、５００ｍＡ、無線充電で流すことのできる電流量（送電電流量／受電電流量）が、例えば、１０００ｍＡと想定する。
【００６１】
この充電システムにおいて、充電に関する一次側制御部１０７の動作を、図９を用いて説明する。
【００６２】
利用者が、給電コネクタ１０６と受電コネクタ２０３とを充電用ケーブル３で接続するか、または一次側装置１と二次側装置２とを近接させることで有線充電または無線充電を開始する。この状態で、最初に、ステップＳ１３００で、充電池２０５の残量情報を取得できるかを確認する。確認の結果、残量情報を取得できない場合（ステップＳ１３００でＮＯ）、取得できるまで待機する。一方、残量情報を取得できた場合（ステップＳ１３００でＹＥＳ）、ステップＳ１３０１に進む。
【００６３】
確認の結果、有線充電である場合（ステップＳ１３０１でＹＥＳ）、現在、有線充電のみで充電していることになる。この場合、ステップＳ１３０２において、残量情報が示す充電池２０５の残量が第２の閾値（例えば、７０％）以上かどうかを確認する。確認の結果、第２の閾値以上である場合（ステップＳ１３０２でＹＥＳ）、充電池２０５が満充電に近いと判定し、同時充電の効果が低いため、ステップＳ１３０３に移り、現在の有線充電のみで充電を継続する。
【００６４】
一方、第２の閾値以上でない場合（ステップＳ１３０２でＮＯ）、充電池２０５の残量が少ないと判定し、同時充電の効果があるため、同時充電のための準備として、ステップＳ１３０４において、今の状態で無線充電が可能かどうかを確認する。確認の結果、無線充電が可能である場合（ステップＳ１３０４でＹＥＳ）、ステップ９０５に移り、自動的に無線充電を開始する。
【００６５】
一方、無線充電が可能でない場合（ステップＳ１３０５でＮＯ）、充電時間を短縮するためには、より大きな電流を流すために、有線充電及び無線充電の同時充電をするか、有線充電より供給可能電流が大きい無線充電に切り替える必要がある。このために、ステップＳ１３０６に移り、流すことのできる電流の大きい順に、推奨する操作を案内する情報を出力させる。ここでは、例えば、表示部２０７に、「充電時間短縮のための推奨操作、（１）同時充電、（２）無線充電のみ、（３）有線充電のみ」の表示をさせる。尚、この情報を表示させることは、その表示をさせるための指示を一時側装置１から二次側装置２へ送信することで実現する。
【００６６】
ステップＳ１３０１において、有線充電でない場合（ステップＳ１３０１でＮＯ）、現在、無線充電のみで充電していることになる。そして、ステップＳ１３０７において、充電池２０５の残量が第２の閾値より低い第３の閾値（例えば、６０％）以上かどうかを確認する。確認の結果、第３の閾値以上である場合（ステップＳ１３０７でＹＥＳ）、充電池２０５が比較的満充電に近いと判定し、同時充電の効果が比較的低いため、ステップＳ１３０８に移り、現在の無線充電のみで充電を継続する。
【００６７】
一方、第３の閾値以上でない場合（ステップＳ１３０７でＮＯ）、充電時間を短縮するためには、同時充電する必要があるため、ステップＳ１３０９に移り、有線充電を行うための操作を案内する情報を出力する。例えば、表示部２０７に「充電時間短縮を希望する場合は有線充電ケーブルをつないで下さい。」という表示をさせる。
【００６８】
これによって、できるだけ自動的に、短時間で充電できるようになり、かつ、同時充電が不要な場合は、別の二次側装置を充電することが可能となるので、効率的な充電が可能となる。
【００６９】
以上説明したように、実施形態５によれば、実施形態４で説明した効果に加えて、充電状況に応じて、最適な充電方法を案内させることで、より効率的な充電を行うことが可能となる。
【００７０】
＜実施形態６＞
実施形態５では、有線充電で流すことのできる電流量（送電電流量／受電電流量）が、無線充電で流すことのできる電流量（送電電流量／受電電流量）よりも小さい場合を例に挙げて説明しているが、これに限定されない。有線充電で流すことのできる電流量（送電電流量／受電電流量）が、無線充電で流すことのできる電流量（送電電流量／受電電流量）よりも大きい場合においても、実施形態５の構成を適用できることは言うまでもない。その場合、ステップＳ１３０６では、表示部２０７に、「充電時間短縮のための推奨操作、（１）同時充電、（２）有線充電のみ、（３）無線充電のみ」の表示をさせる。
【００７１】
また、実施形態４及び５では、充電方法（有線充電／無線充電）を切り替えるための案内を示す情報の出力は、表示部２０７に表示させる構成としているが、これに限定されない。二次側装置２が音声出力部を備えている場合には、その情報を音声案内で出力させるようにしてももちろん構わないし、音声と表示を併用しても良い。
【００７２】
更に、実施形態４及び５の処理で用いる第１の閾値〜第３の閾値は、一例であって、用途や目的に応じて、その値は同一であったり、大小の関係が逆転していても良い。
【００７３】
尚、本発明は、以下の処理を実行することによっても実現される。即ち、上述した実施形態の機能を実現するソフトウェア（プログラム）を、ネットワーク又は各種記憶媒体を介してシステムまたは装置に供給し、そのシステムまたは装置のコンピュータ（またはＣＰＵやＭＰＵ等）がプログラムを読み出して実行する処理である。
【図１】
2014011918.tif 000003
【図２】
2014011918.tif 000004
【図３】
2014011918.tif 000005
【図４】
2014011918.tif 000006
【図５】
2014011918.tif 000007
【図６】
2014011918.tif 000008
【図７】
2014011918.tif 000009
【図８】
2014011918.tif 000010
【図９】
2014011918.tif 000011
【図１０】
2014011918.tif 000012
【図１１】
2014011918.tif 000013
【図１２】
2014011918.tif 000014
【図１３】
2014011918.tif 000015